(57)【要約】【課題】  潤滑油による電気自動車用駆動装置の冷却性能を向上させて、航続距離延長、定格出力向上を図ることを課題とする。【解決手段】  外ピンハウジング５０の円筒部５１に貫通孔５７を設けることにより、減速機Ｂの内部で回転に伴い飛散した潤滑油の内、各部の潤滑に寄与しなかった潤滑油が、貫通孔５７から外ピンハウジング５０の外部に飛散し、ケーシング２２ｂの内径面に付着するようにして、このケーシング２２ｂの内径面に付着した潤滑油が重力によりケーシング２２ｂの下部のオイルタンク４１に流れ込むまでの間に、潤滑油の熱をケーシング２２ｂに熱伝導させて、潤滑油の温度が低下するようにした。【選択図】  図１
2015129570.tif 000002
【特許請求の範囲】
【請求項１】
駆動力を発生させるモータ部と、モータ部の回転を減速して出力する減速機と、減速機からの出力を駆動輪に伝える車輪ハブとを備え、前記減速機が、前記モータ部によって回転駆動される入力軸と、入力軸に設けられた偏心軸部によって入力軸に回転自在に支持され、外周に波形歯形が形成された曲線板と、減速機のケーシングの内側に配設され、曲線板の外周の波形歯形に噛合する外ピンとを有し、外ピンを、減速機のケーシングの内径面に回り止めされた外ピンハウジングに支持し、外ピンハウジングは、減速機のケーシングの内径面に設けられた円筒部と、円筒部の両端から内向きに形成された一対のリング部とからなり、外ピンハウジングの一対のリング部に外ピン保持孔を円周方向に複数設け、その外ピン保持孔内に組み込んだ軸受により外ピンを回転自在に支持し、入力軸の回転により曲線板を偏心揺動運動させて、その曲線板の自転を前記入力軸と同軸上に配置された出力軸から出力するようにしたサイクロイド式の減速機とされた電気自動車用駆動装置において、前記外ピンハウジングの円筒部に、ケーシングの内径面と外ピンハウジング内とを連通させる貫通孔を設けたことを特徴とする電気自動車用駆動装置。
【請求項２】
前記貫通孔が外ピンハウジングの円筒部の上半部に設けられている請求項１記載の電気自動車用駆動装置。
【請求項３】
前記曲線板が軸方向にセンターカラーを挟んで複数枚設けられ、曲線板と曲線板との間のセンターカラーに、径方向のスリットを設けたことを特徴とする請求項１又は２に記載の電気自動車用駆動装置。
【請求項４】
前記貫通孔の軸方向の幅が、センターカラーの軸方向の幅よりも大きく、かつ
曲線板とセンターカラーの軸方向の総幅よりも小さく、センターカラーの両幅面が、貫通孔内に位置することを特徴とする請求項３記載の電気自動車用駆動装置。
【請求項５】
前記外ピンハウジングの円筒部の外径面に、円周溝を設けたことを特徴とする請求項１〜４のいずれかの項に記載の電気自動車用駆動装置。
【請求項６】
減速機のケーシングの内径面に、円周溝を設けたことを特徴とする請求項１〜４のいずれかの項に記載の電気自動車用駆動装置。
【請求項７】
前記車輪ハブが駆動輪を直接駆動するインホイールモータ駆動装置であることを特徴とする請求項１〜６のいずれかの項に記載の電気自動車用駆動装置。
【請求項８】
前記車輪ハブに締結されたドライブシャフトを介して駆動輪を駆動するオンボード駆動装置であることを特徴とする請求項１〜６のいずれかの項に記載の電気自動車用駆動装置。
【発明の詳細な説明】
【技術分野】
【０００１】
この発明は、電気自動車用駆動装置、詳しくはインホイールモータ駆動装置、あるいはオンボード駆動装置に使用するサイクロイド式の減速機内部の潤滑構造に関する。
【背景技術】
【０００２】
インホイールモータ駆動装置１２１は、図１２に示すように、駆動力を発生させるモータ部Ａと、モータ部Ａの回転を減速して出力する減速機Ｂと、減速機Ｂからの出力を駆動輪に伝える車輪ハブＣとを備える。
【０００３】
上記モータ部Ａおよび減速機Ｂは、ケーシング１２２内に収容されている。ケーシング１２２は、モータ部Ａ側のケーシング１２２ａと、減速機Ｂ側のケーシング１２２ｂとに、仕切壁１２２ｃによって仕切られている。
【０００４】
モータ部Ａは、ケーシング１２２ａの内周面にステータ１２３を設け、このステータ１２３の内周に間隔をおいてロータ１２４を設けたラジアルギャップタイプのものを使用している。
【０００５】
ロータ１２４は、モータ軸１２４ａを中心部に有し、そのモータ軸１２４ａは減速機Ｂの入力軸１３０と接続して減速機Ｂのケーシング１２２ｂ内に挿入され、軸受１２５ａ、１２５ｂによってケーシング１２２ａに対して回転自在に支持されている。
【０００６】
減速機Ｂのケーシング１２２ｂには、下部に潤滑油のオイルタンク１４１が設けられ、オイルタンク１４１内の潤滑油をオイルポンプ１４２によって吸い込み、モータ部Ａと減速機Ｂに潤滑油を供給し、潤滑と冷却を行っている（特許文献１）。
【０００７】
潤滑油を減速機Ｂの内部に供給する給油通路１４３は、モータ部Ａの回転を減速する減速機Ｂの出力回転を利用して駆動されるオイルポンプ１４２の吐出口からケーシング１２２ａの内側に沿って後方へと延び、ケーシング１２２ａの後方から、モータ軸１２４ａの内部通路１４４と減速機Ｂの入力軸１３０の内部通路１４５を経て、減速機Ｂのケーシング１２２ｂ内に至る通路、およびオイルタンク１４１からオイルポンプ１４２の吸入口に至る吸込通路１４６により構成される。
【０００８】
潤滑油の帰還通路は、減速機Ｂのケーシング１２２ｂの底部に設けられた排出口１４７、およびオイルタンク１４１により構成される。
【０００９】
サイクロイド式の減速機Ｂは、図１２〜図１４に示すように、入力軸１３０に設けられた偏心軸部１３０ａ、１３０ｂによって２枚の曲線板１３１を回転自在に支持し、それらの曲線板１３１の外周に形成された波形歯形１３１ａを減速機Ｂのケーシング１２２ｂの内径面に隙間を介して位置する外ピンハウジング１５０の内側に支持された外ピン１３２に噛合し、上記入力軸１３０の回転により曲線板１３１を偏心揺動運動させ、その曲線板１３１の自転を入力軸１３０と同軸上に配置された出力軸１３３から出力し、車輪ハブＣを回転させている。
【００１０】
外ピンハウジング１５０の内側に支持された外ピン１３２の数は、曲線板１３１の外周の波形歯形１３１ａの歯数より多い。
【００１１】
外ピン１３２は、減速機Ｂのケーシング１２２ｂの内径面に隙間を介して位置する外ピンハウジング１５０に支持されている。外ピンハウジング１５０は、減速機Ｂのケーシング１２２ｂに対してアウター側とインナー側に、フローティングボルト１５９によってフローティング支持されている。フローティングボルト１５９は、回転軸線Ｏを中心とする円周上に等間隔に配置され、外ピンハウジング側固定部１５９ａとケーシング側固定部１５９ｂとを有し、外ピンハウジング側固定部１５９ａとケーシング側固定部１５９ｂの間に、外ピンハウジング１５０の軸方向の外側面に固定する外ピンサイドプレート１５８の固定フランジ１５９ｃを設けている。
【００１２】
外ピンハウジング１５０は、図１３および１５に示すように、円筒部１５１と、円筒部１５１の軸方向両端部から径方向内側に延びる一対のリング部１５２とを備える。
【００１３】
入力軸１３０は、図１２に示すように、その一端部がスプライン嵌合によりロータ１２４のモータ軸１２４ａに接続されてロータ１２４の回転により回転駆動されるようになっており、その他端部に偏心軸部１３０ａ、１３０ｂが設けられている。
【００１４】
偏心軸部１３０ａ、１３０ｂは、図１３に示すように、入力軸１３０の軸方向に一対設けられている。その一対の偏心軸部１３０ａ、１３０ｂは、円筒状外径面の中心が周方向に１８０°位相がずれるようにして設けられ、その一対の偏心軸部１３０ａ、１３０ｂのそれぞれの外径面に転がり軸受１３４が嵌合されている。
【００１５】
一対の偏心軸部１３０ａ、１３０ｂを設けた入力軸１３０には、一対の偏心軸部１３０ａ、１３０ｂを挟むように一対のカウンタウェイト１３５を、周方向に１８０°位相をずらして設けている。
【００１６】
曲線板１３１は、図１３、１４に示すように、転がり軸受１３４によって入力軸１３０に回転自在に支持され、その外周に形成された波形歯形１３１ａはトロコイド曲線歯形とされている。図１４に示すように、曲線板１３１には、回転軸心を中心とする一つの円上に複数のピン孔１３６が等間隔に形成され、軸方向に並ぶ一対のピン孔１３６のそれぞれに内ピン１３７が余裕をもって挿入され、その内ピン１３７に回転自在に支持されたころ軸受１３７ａの外周一部がピン孔１３６の内周一部に接触している。
【００１７】
減速機Ｂは、図１３及び図１４に示すように、偏心軸部１３０ａ、１３０ｂに回転自在に保持される公転部材としての曲線板１３１と、曲線板１３１の外周部の波形歯形１３１ａに係合する複数の外ピン１３２と、曲線板１３１の自転運動を出力する出力軸１３３と、曲線板１３１の隙間に取り付けられてこれら曲線板１３１の端面に当接して曲線板の傾きを防止するセンターカラー１３８とを備える。
【００１８】
出力軸１３３は、フランジ部１３３ａと軸部１３３ｂとを有する。フランジ部１３３ａには、図１２及び図１３に示すように、出力軸１３３の回転軸線Ｏを中心とする円周上に、内ピン１３７が等間隔に固定されている。軸部１３３ｂの外径面には、セレーション（またはスプライン）によりトルク伝達可能な状態で車輪ハブＣが配置されている。複数の内ピン１３７を介してフランジ部１３３ａ、１３３ａが連結された出力軸１３３のモータ部Ａ側の端部には、オイルポンプ１４２のインナーロータに接続するポンプ駆動軸１３３ｃが設けられている。
【００１９】
外ピン１３２は、入力軸１３０の回転軸線Ｏの円周軌道上に等間隔に設けられる。そして、曲線板１３１が公転運動すると、外周の波形歯形１３１ａと外ピン１３２とが係合して、曲線板１３１に自転運動を生じさせる。
【００２０】
図１３に示すように、外ピンハウジング１５０の一対のリング部１５２の内周には、出力軸１３３が軸受１９０を介して回転自在に支持されている。軸受１９０は、リング部１５２の内周に溝を設け、この溝に嵌められた止め輪１９２によって軸方向の位置が規制されている。また、出力軸１３３のフランジ部１３３ａの内径面と入力軸１３０の外径面とは、軸受１９１を介して相対的に回転可能に支持されている。
【００２１】
曲線板１３１は、出力軸１３３の対向するフランジ部１３３ａ間に組み込まれている。また、出力軸１３３の対向するフランジ部１３３ａには、組み込まれた曲線板１３１のピン孔１３６を貫通する内ピン１３７の両端が支持されている。
【００２２】
出力軸１３３の対向するフランジ部１３３ａに支持された複数の内ピン１３７は、入力軸１３０の回転軸線Ｏを中心とする円周軌道上に等間隔に設けられ、曲線板１３１との摩擦抵抗を低減するために、曲線板１３１のピン孔１３６の内壁面に当接する位置に針状ころ軸受１３７ａが設けられている。ピン孔１３６の内径寸法は、内ピン１３７の外径寸法より所定分大きく設定されている。
【００２３】
車輪ハブＣは、図１２に示すように、出力軸１３３の軸部１３３ｂの外径面にセレーション（またはスプライン）によりトルク伝達可能な状態で嵌合連結された内輪部材１８１と、内輪部材１８１をケーシング１２２ｂに対して回転自在に保持する外輪部材１８２とを備える。内輪部材１８１と外輪部材１８２とは複列アンギュラ玉軸受を構成し、内輪部材１８１と外輪部材１８２の間に複列の転動体１８３を設置している。内輪部材１８１には、車輪取付けフランジ部１８４が一体に設けられている。
【００２４】
外ピン１３２は、ケーシング１２２ｂに直接保持されているわけではなく、図1２及び図１３に示すように、ケーシング１２２ｂの内径面にフローティング状態に支持された外ピンハウジング１５０に保持されている。
【００２５】
外ピンハウジング１５０は、図１５に示すように、円筒部１５１と、円筒部１５１の軸方向両端部から径方向内側に延びる一対のリング部１５２とを備える。
【００２６】
一対のリング部１５２は、径方向の外周側に位置する外側面部１５２ａと、径方向の内周側に位置し、外側面部１５２ａの外方に突出する厚肉の内側面部１５２ｂとからなる。
【００２７】
また、外ピンハウジング１５０の円筒部１５１の下部には、円筒部１５１を軸方向に分割するスリット１５３が設けられている。
【００２８】
外ピンハウジング１５０の一対のリング部１５２には、厚み方向に貫通する複数の外ピン保持孔１５４が設けられている。外ピン保持孔１５４は、図１３に示すように、それぞれ入力軸１３０の回転軸線Ｏと平行な方向に延び外ピン１３２の両端を保持している。外ピン１３２の両端は、外ピン保持孔１５４に対して針状ころ軸受１５５を介して支持されている。針状ころ軸受１５５は、外輪１５５ａと、この外輪１５５ａの内周面と外ピン１３２の外周面とを転走面にした針状ころ１５５ｂとからなる。針状ころ軸受１５５の外輪１５５ａは、外ピン保持孔１５４の内面に嵌合されている。
【００２９】
また、一対のリング部１５２の対応する外ピン保持孔１５４は、周方向の同位置に互いに対面するように設けられている。即ち、１対の外ピン保持孔１５４の中心軸線は一致し、外ピンハウジング１５０を減速機Ｂのケーシング１２２ｂに取り付けると、この外ピン保持孔１５４の中心軸線は、入力軸１３０の回転軸線Ｏと平行になる。
【００３０】
図１５に示すように、一対のリング部１５２の径方向の内周側に位置する厚肉の内側面部１５２ｂには、外ピン保持孔１５４に連続するように、溝形のザグリ部１５６が形成されている。
【００３１】
一対のリング部１５２の径方向の外周側に位置する外側面部１５２ａには、図１６及び図１７に示すように、外ピン保持孔１５４に挿入した外ピン１３２の軸方向の抜け出しを防止する外ピンサイドプレート１５８を、フローティングボルト１５９によって固定している。
【００３２】
外ピンサイドプレート１５８には、周方向にフローティングボルト１５９の挿通孔１５８ａを形成している。この挿通孔１５８ａは、外ピンハウジング１５０の外側面部１５２ａに設けられたフローティングボルト１５９の固定孔１５２ｃに対応する位置に設けられている。
【００３３】
なお、図１６及び図１７は、外ピン保持孔１５４に、外ピン１３２と針状ころ軸受１５５との収容した状態で示している。
【００３４】
外ピンサイドプレート１５８の内周面には、外ピン保持孔１５４に対応する位置に、ザグリ部１５６に向かって突出する突出片１５８ｂを形成している。
【先行技術文献】
【特許文献】
【００３５】
【特許文献１】特開２００９−６３０４３号公報
【発明の概要】
【発明が解決しようとする課題】
【００３６】
ところで、サイクロイド式の減速機Ｂの潤滑は、オイルポンプ１４２から供給された潤滑油が、入力軸１３０の内部通路１４５を通り、偏心軸部１３０ａ、１３０ｂに設けた油孔１４５ａ、１４５ｂから飛散し飛沫となって、また、外ピンハウジング１５０の内部に溜まった潤滑油が、曲線板１３１の回転で掻き上げられ飛沫となって、各部の転動面、摺動面を潤滑する。
【００３７】
そして、外ピンハウジング１５０の内部に供給された潤滑油は、外ピン１３２の両端部を支持する針状ころ軸受１５５の開口部、出力軸１３３を支持する軸受１９０の開口部、等から外ピンハウジング１５０の外部に流出するが、大部分は開口面積が大きく下部にあるスリット１５３から排出される。
【００３８】
外ピンハウジング１５０のスリット１５３から排出された潤滑油は、減速機Ｂの底部に設けられた排出口１４７からそのままオイルタンク１４１に流れ込む。また、外ピン１３２の両端部を支持する針状ころ軸受１５５の開口部と出力軸１３３を支持する軸受１９０の開口部とから外ピンハウジング１５０の外部に流出した潤滑油は、減速機Ｂのケーシング１２２ｂの内径面を伝って減速機Ｂの底部に設けられた排出口１４７からオイルタンク１４１に流れ込む。
【００３９】
オイルタンク１４１に流れ込んだ潤滑油は、オイルポンプ１４２で吸い上げられて循環する。
【００４０】
潤滑油は、各部の潤滑とともに、冷却作用を担っている。即ち、潤滑油は、通電や転動、摺動によって各部に生じた熱を吸収し、その熱をケーシング１２２に伝える。ケーシング１２２表面には、フィンが設けられ、フィンが走行風等で冷却されることよって、ケーシング１２２の温度が下がり、潤滑油が冷却される。
【００４１】
モータ部Ａは、ロータ１２４の内部に半径方向に設けられた油路１２４ａを通り潤滑油が飛散し、また、モータ部Ａの下部に溜まった潤滑油がロータ１２４の回転により掻き上げられ飛散し、ロータ１２４やステータ１２３を冷却した潤滑油が、ケーシング１２２ａの内径面に付着することにより、ケーシング１２２ａに潤滑油の熱が伝導して潤滑油が冷却される。
【００４２】
減速機Ｂの外ピンハウジング１５０の下部のスリット１５３は、開口面積が大きいため、外ピンハウジング１５０の潤滑油の大部分は、スリット１５３から流出してオイルタンク１４１に流れ込む。オイルタンク１４１は、内部油量に対し表面積が小さいため、オイルタンク１４１における潤滑油の冷却効率は悪い。
【００４３】
一方、外ピン１３２の両端部を支持する針状ころ軸受１５５の開口部と出力軸１３３を支持する軸受１９０の開口部とから外ピンハウジング１５０の外部に流出する潤滑油は、減速機Ｂのケーシング１２２ｂの内径面を伝わるため、ケーシング１２２ｂからの放熱によって、冷却効率はよい。しかしながら、ケーシング１２２ｂの内径面を伝わる潤滑油の油量は、少ないので、全体としての冷却効果も少ない。
【００４４】
ところで、潤滑油によるインホイールモータ駆動装置１２１の冷却は、性能に大きな影響を与える。
【００４５】
例えば、モータ部Ａの温度が上昇すると、磁石の減磁による出力低下や、絶縁物の早期劣化、ロータ支持軸受を含めた各部の損傷の恐れがある。特に、電気自動車の場合には、バッテリ容量側の制限もあるが、航続距離を伸ばし、また定格出力（規定時間回し続けられる出力）向上のためには、モータ部Ａの油温の温度上昇を抑えることが重要である。また、減速機Ｂも、温度が上昇すると転動部の焼付けや各部の損傷の恐れがあり、潤滑油自体も劣化し潤滑性能が低下する。
【００４６】
そこで、この発明は、潤滑油によるインホイールモータ駆動装置１２１の冷却性能を向上させて、航続距離延長、定格出力向上を図ろうとするものである。
【課題を解決するための手段】
【００４７】
上記の課題を解決するため、この発明においては、駆動力を発生させるモータ部と、モータ部の回転を減速して出力する減速機と、減速機からの出力を駆動輪に伝える車輪ハブとを備え、前記減速機が、前記モータ部によって回転駆動される入力軸と、入力軸に設けられた偏心軸部によって入力軸に回転自在に支持され、外周に波形歯形が形成された曲線板と、減速機のケーシングの内側に配設され、曲線板の外周の波形歯形に噛合する外ピンとを有し、外ピンを、減速機のケーシングの内径面に回り止めされた外ピンハウジングに支持し、外ピンハウジングは、減速機のケーシングの内径面に設けられた円筒部と、円筒部の両端から内向きに形成された一対のリング部とからなり、外ピンハウジングの一対のリング部に外ピン保持孔を円周方向に複数設け、その外ピン保持孔内に組み込んだ軸受により外ピンを回転自在に支持し、入力軸の回転により曲線板を偏心揺動運動させて、その曲線板の自転を前記入力軸と同軸上に配置された出力軸から出力するようにしたサイクロイド式の減速機とされた電気自動車用駆動装置において、前記外ピンハウジングの円筒部に、ケーシングの内径面と外ピンハウジング内とを連通させる貫通孔を設けたことを特徴とする。
【００４８】
前記貫通孔が外ピンハウジングの円筒部の上半部に設けることが好ましい。
【００４９】
前記曲線板が軸方向にセンターカラーを挟んで複数枚設けられ、曲線板と曲線板との間のセンターカラーに径方向のスリットを設け、このスリットから外ピンハウジングの外部に潤滑油が飛散するようにすることが好ましい。
【００５０】
前記外ピンハウジングの強度を低下させないで、前記外ピンハウジングの外部に潤滑油が効果的に飛散するようにするためには、貫通孔の軸方向の幅は、センターカラーの軸方向の幅よりも大きく、かつ、曲線板とセンターカラーの軸方向の総幅よりも小さく、センターカラーの両幅面が、貫通孔内に位置することが好ましい。
【００５１】
前記外ピンハウジングの円筒部の外径面に円周溝を設け、また、減速機のケーシングの内径面に円周溝を設けることにより、前記外ピンハウジングと減速機のケーシングの内径面との間に流入した潤滑油をケーシングの下部に効果的に導くことができる。
【００５２】
前記電気自動車用駆動装置は、前記車輪ハブが駆動輪を直接駆動するインホイールモータ駆動装置に、あるいは、前記車輪ハブに締結されたドライブシャフトを介して駆動輪を駆動するオンボード駆動装置に使用することができる。
【発明の効果】
【００５３】
この発明に係る電気自動車用駆動装置においては、上記のように、外ピンハウジングの円筒部に貫通孔を設けることにより、減速機の内部で回転に伴い飛散した潤滑油の内、各部の潤滑に寄与しなかった潤滑油が、貫通孔から外ピンハウジングの外部に飛散し、ケーシングの内径面に付着する。そして、潤滑油が重力によりケーシングの下部のオイルタンクに流れ込むまでの間に、潤滑油の熱がケーシングに熱伝導し、この熱伝導により、潤滑油の温度が低下する。ケーシングは、走行風により冷却されるので、ケーシングとの接触により、潤滑油の油温の上昇が抑制され、結果としてモータ部の温度の上昇も抑制され、航続距離延長、定格出力の向上を図ることができる。
【図面の簡単な説明】
【００５４】
【図１】この発明に係るインホイールモータ駆動装置に使用される電気自動車用駆動装置の縦断正面図である。
【図２】減速機の拡大縦断正面図である。
【図３】図１のIII−III線に沿った縦断側面図である。
【図４】オイルポンプの拡大図である。
【図５】外ピンハウジングの一例を示す斜視図である。
【図６】外ピンハウジングの他の例を示す斜視図である。
【図７】外ピンハウジングの他の例を示す斜視図である。
【図８】センターカラーの一例を示す斜視図である。
【図９】減速機のハウジングをモータ部の方向から見た斜視図である。
【図１０】図１のインホイールモータ駆動装置を有する電気自動車の概略平面図である。
【図１１】図１０の電気自動車を後方から見た図である。
【図１２】従来例を示す縦断正面図である。
【図１３】従来例の減速機の拡大縦断正面図である。
【図１４】図１２のXIV−XIV線に沿った縦断側面図である。
【図１５】従来の外ピンハウジングの斜視図である。
【図１６】外ピンサイドプレートを分離し、外ピンを収容した状態で示した従来の外ピンハウジングの斜視図である。
【図１７】外ピンサイドプレートを重ね合わせ、外ピンを収容した状態で示した従来の外ピンハウジングの斜視図である。
【発明を実施するための形態】
【００５５】
以下、この発明の実施の形態を添付図面に基づいて説明する。
この発明の一実施形態に係るインホイールモータ駆動装置を備えた電気自動車１１は、図１０に示すように、シャーシ１２と、操舵輪としての前輪１３と、駆動輪（後輪）１４と、左右の駆動輪１４それぞれに駆動力を伝達するインホイールモータ駆動装置２１とを備える。駆動輪１４は、図１１に示すように、シャーシ１２のホイールハウジング１２ａの内部に収容され、懸架装置（サスペンション）１２ｂを介してシャーシ１２の下部に固定されている。インホイールモータ駆動装置２１の搭載形態としては、図１０、１１で示した後輪駆動方式の他に、前輪駆動方式でも四輪駆動方式のいずれでも構わない。
【００５６】
懸架装置１２ｂは、左右に伸びるサスペンションアームによって駆動輪１４を支持すると共に、コイルスプリングとショックアブソーバとを含むストラットによって、駆動輪１４が地面から受ける振動を吸収してシャーシ１２の振動を抑制する。さらに、左右のサスペンションアームの連結部分には、旋回時等に車体の傾きを抑制するスタビライザが設けられる。なお、懸架装置１２ｂは、路面の凹凸に対する追従性を向上し、駆動輪の駆動力を効率良く路面に伝達するために、左右の車輪を独立して上下させることができる独立懸架式とするのが望ましい。
【００５７】
この電気自動車１１は、ホイールハウジング１２ａ内部に、左右の駆動輪１４をそれぞれ駆動するインホイールモータ駆動装置２１を設けることによって、シャーシ１２上にモータ、ドライブシャフト、およびデファレンシャルギヤ機構等を設ける必要がなくなるので、客室スペースを広く確保でき、かつ、左右の駆動輪の回転をそれぞれ制御することができるという利点を備えている。
【００５８】
インホイールモータ駆動装置２１は、図１に示すように、駆動力を発生させるモータ部Ａと、モータ部Ａの回転を減速して出力する減速機Ｂと、減速機Ｂからの出力を駆動輪１４に伝える車輪ハブＣとを備え、モータ部Ａと減速機Ｂとはケーシング２２に収納されて、図１１に示すように電気自動車１１のホイールハウジング１２ａ内に取り付けられる。
【００５９】
上記モータ部Ａおよび減速機Ｂは、ケーシング２２内に収容されている。ケーシング２２は、モータ部Ａ側のケーシング２２ａと、減速機Ｂ側のケーシング２２ｂとに、仕切壁２２ｃによって仕切られ、仕切壁２２ｃの中心にはモータ部Ａのモータ軸２４ａを挿通する貫通部が形成されている。
【００６０】
モータ部Ａは、ケーシング２２ａの内周面にステータ２３を設け、このステータ２３の内周に間隔をおいてロータ２４を設けたラジアルギャップタイプのものを使用している。
【００６１】
ロータ２４は、モータ軸２４ａを中心部に有し、そのモータ軸２４ａは減速機Ｂの入力軸３０と接続して減速機Ｂのケーシング２２ｂ内に挿入され、軸受２５ａ、２５ｂによってケーシング２２に対して回転自在に支持されている。
【００６２】
減速機Ｂのケーシング２２ｂには、下部に潤滑油のオイルタンク４１が設けられ、オイルタンク４１内の潤滑油をオイルポンプ４２によって吸い込み、モータ部Ａと減速機Ｂに潤滑油を供給し、潤滑と冷却を行っている。
【００６３】
潤滑油を減速機Ｂの内部に供給する給油通路４３は、モータ部Ａの回転を減速する減速機Ｂの出力回転を利用して駆動されるオイルポンプ４２の吐出口からケーシング２２ａの内側に沿って後方へと延び、ケーシング２２ａの後方から、モータ軸２４ａの内部通路４４と減速機Ｂの入力軸３０の内部通路４５を経て、減速機Ｂのケーシング２２ｂ内に至る通路、およびオイルタンク４１からオイルポンプ４２の吸入口に至る吸込通路４６により構成される。そして、オイルポンプ４２から供給された潤滑油は、減速機Ｂの入力軸３０の内部通路４５に設けられた半径方向の油孔４５ａ、４５ｂから遠心力によって飛散して、減速機Ｂ内を潤滑及び冷却している。いわゆる軸心給油方式を採用している。
【００６４】
潤滑油の帰還通路は、減速機Ｂのケーシング２２ｂの底部に設けられた排出口４７、およびオイルタンク４１により構成される。
【００６５】
オイルポンプ４２は、図４に示すように、減速機Ｂの回転を利用して回転するインナーロータ７２と、インナーロータ７２の回転に伴って従動回転するアウターロータ７３と、ポンプ室７４と、吸込通路４６に連通する吸入口７５と、給油通路４３に連通する吐出口７６とを備えるサイクロイドポンプである。
【００６６】
インナーロータ７２は、外径面にサイクロイド曲線で構成される歯形を有する。具体的には、歯先部分７２ａの形状がエピサイクロイド曲線、歯溝部分７２ｂの形状がハイポサイクロイド曲線となっている。このインナーロータ７２は、減速機Ｂの出力軸３３と一体回転する。
【００６７】
アウターロータ７３は、内径面にサイクロイド曲線で構成される歯形を有する。具体的には、歯先部分７３ａの形状がハイポサイクロイド曲線、歯溝部分７３ｂの形状がエピサイクロイド曲線となっている。このアウターロータ７３は、ポンプケース７７に回転自在に支持されている。
【００６８】
インナーロータ７２は、回転中心ｃ１を中心として回転する。一方、アウターロータ７３は、インナーロータの回転中心ｃ１と異なる回転中心ｃ２を中心として回転する。また、インナーロータ７２の歯数をｎとすると、アウターロータ７３の歯数は（ｎ＋１）となる。なお、この実施形態においては、ｎ＝５としている。
【００６９】
インナーロータ７２とアウターロータ７３との間の空間には、複数のポンプ室７４が設けられている。そして、インナーロータ７２が減速機Ｂの出力軸３３の回転を利用して回転すると、アウターロータ７３は従動回転する。このとき、インナーロータ７２およびアウターロータ７３はそれぞれ異なる回転中心ｃ１、ｃ２を中心として回転するので、ポンプ室７４の容積は連続的に変化する。これにより、吸入口７５から流入した潤滑油が吐出口７６から給油通路４３に圧送される。
【００７０】
減速機Ｂのケーシング２２ｂには、図１に示すように、下部に潤滑油のオイルタンク４１が設けられ、オイルタンク４１内の潤滑油を吸込通路４６を通じてオイルポンプ４２によって吸い込み、モータ部Ａと減速機Ｂに潤滑油を供給し、潤滑と冷却を行っている。
【００７１】
サイクロイド式の減速機Ｂは、図１〜図３に示すように、入力軸３０に設けられた偏心軸部３０ａ、３０ｂによって２枚の曲線板３１を回転自在に支持し、それらの曲線板３１の外周に形成された波形歯形３１ａを減速機Ｂのケーシング２２ｂの内側に配設された外ピン３２に噛合し、上記入力軸３０の回転により曲線板３１を偏心揺動運動させ、その曲線板３１の自転を入力軸３０と同軸上に配置された出力軸３３から出力し、車輪ハブＣを回転させている。
【００７２】
減速機Ｂのケーシング２２ｂの内側に配設された外ピン３２の数は、曲線板３１の外周の波形歯形３１ａより多い。
【００７３】
外ピン３２は、図２に示すように、減速機Ｂのケーシング２２ｂの内径面に隙間を介して位置する外ピンハウジング５０に支持されている。外ピンハウジング５０は、減速機Ｂのケーシング２２ｂに対してアウター側とインナー側に、フローティングボルト５９によってフローティング支持されている。フローティングボルト５９は、回転軸線Ｏを中心とする円周上に等間隔に配置され、外ピンハウジング側固定部５９ａとケーシング側固定部５９ｂとを有し、外ピンハウジング側固定部５９ａとケーシング側固定部５９ｂの間に、外ピンハウジング５０の軸方向の外側面に固定される外ピンサイドプレート５８の固定フランジ５９ｃが設けられている。
【００７４】
外ピンハウジング５０は、円筒部５１と、円筒部５１の軸方向両端部から径方向内側に延びる一対のリング部５２とを備える。
【００７５】
入力軸３０は、図１に示すように、その一端部がスプライン嵌合によりロータ２４のモータ軸２４ａに接続されてモータ部Ａにより回転駆動されるようになっており、その他端部に偏心軸部３０ａ、３０ｂが設けられている。
【００７６】
偏心軸部３０ａ、３０ｂは、図２に示すように、入力軸３０の軸方向に一対設けられている。その一対の偏心軸部３０ａ、３０ｂは、円筒状外径面の中心が周方向に１８０°位相がずれるようにして設けられ、その一対の偏心軸部３０ａ、３０ｂのそれぞれの外径面に転がり軸受３４が嵌合されている。
偏心軸部３０ａ、３０ｂには、油孔４５ａ、４５ｂが設けられ、この油孔４５ａ、４５ｂから入力軸３０の内部通路４５を通る潤滑油が飛散し、各部の転動面、摺動面を潤滑する。
【００７７】
一対の偏心軸部３０ａ、３０ｂを設けた入力軸３０には、一対の偏心軸部３０ａ、３０ｂを挟むように一対のカウンタウェイト３５を、周方向に１８０°位相をずらして設けている。
【００７８】
曲線板３１は、転がり軸受３４によって入力軸３０に回転自在に支持され、その外周に形成された波形歯形３１ａはトロコイド曲線歯形とされている。図３に示すように、曲線板３１には、回転軸心を中心とする一つの円上に複数のピン孔３６が等間隔に形成され、軸方向に並ぶ一対のピン孔３６のそれぞれに内ピン３７が余裕をもって挿入され、その内ピン３７に回転自在に支持されたころ軸受３７ａの外周一部がピン孔３６の内周一部に接触している。
【００７９】
減速機Ｂは、図２に示すように、偏心軸部３０ａ、３０ｂに回転自在に保持される公転部材としての２枚の曲線板３１と、曲線板３１の外周部の波形歯形３１ａに係合する複数の外ピン３２と、曲線板３１の自転運動を出力する出力軸３３と、２枚の曲線板３１の隙間に取り付けられてこれら曲線板３１の端面に当接して曲線板３１の傾きを防止するセンターカラー３８とを備える。
【００８０】
出力軸３３は、フランジ部３３ａと軸部３３ｂとを有する。図１に示すように、フランジ部３３ａには、出力軸３３の回転軸線Ｏを中心とする円周上に、内ピン３７が等間隔に固定されている。軸部３３ｂの外径面には、セレーション（またはスプライン）によりトルク伝達可能な状態で車輪ハブＣが設けられている。複数の内ピン３７を介しフランジ部３３ａ、３３ａが連結された出力軸３３のモータ部Ａ側の端部には、オイルポンプ４２のインナーロータ７２に接続するポンプ駆動軸３３ｃが設けられている。
【００８１】
外ピン３２は、入力軸３０の回転軸線Ｏの円周軌道上に等間隔に設けられる。そして、曲線板３１が公転運動すると、外周の波形歯形３１ａと外ピン３２とが係合して、曲線板３１に自転運動を生じさせる。
【００８２】
図２に示すように、外ピンハウジング５０の一対のリング部５２の内周には、出力軸３３が軸受９０を介して回転自在に支持されている。また、出力軸３３のフランジ部３３ａの内径面と入力軸３０の外径面とは、軸受９１を介して相対的に回転可能に支持されている。
【００８３】
曲線板３１は、出力軸３３の対向するフランジ部３３ａ間に組み込まれている。また、出力軸３３の対向するフランジ部３３ａには、組み込まれた曲線板３１のピン孔３６を貫通する内ピン３７の両端が支持されている。
【００８４】
出力軸３３の対向するフランジ部３３ａに支持された複数の内ピン３７は、入力軸３０の回転軸線Ｏを中心とする円周軌道上に等間隔に設けられ、曲線板３１との摩擦抵抗を低減するために、２枚の曲線板３１の各ピン孔３６の内壁面に当接する位置に針状ころ軸受３７ａがそれぞれ設けられている。ピン孔３６の内径寸法は、内ピン３７の外径寸法（「針状ころ軸受３７ａを含む最大外径」を指す。以下同じ。）より所定分大きく設定されている。
【００８５】
車輪ハブＣは、図１に示すように、出力軸３３の軸部３３ｂの外径面にセレーション（またはスプライン）によりトルク伝達可能な状態で嵌合連結された内輪部材８１と、内輪部材８１をケーシング２２ｂに対して回転自在に保持する外輪部材８２とを備える。内輪部材８１と外輪部材８２とは複列アンギュラ玉軸受を構成し、内輪部材８１と外輪部材８２の間に複列の転動体８３を設置している。内輪部材８１には、車輪取付けフランジ部８４が一体に設けられている。
【００８６】
外ピン３２は、ケーシング２２ｂに直接保持されているわけではなく、図1及び図２に示すように、ケーシング２２ｂの内径面にフローティング状態に支持された外ピンハウジング５０に保持されている。
【００８７】
インホイールモータ駆動装置２１においては、軽量化の観点からケーシング２２は、アルミ合金やマグネシウム合金等の軽金属で形成し、高い強度が求められる外ピンハウジング５０は、鋼で形成するのが望ましい。
【００８８】
外ピンハウジング５０は、図５に示すように、円筒部５１と、円筒部５１の軸方向両端部から径方向内側に延びる一対のリング部５２とを備える。
【００８９】
一対のリング部５２は、径方向の外周側に位置する外側面部５２ａと、径方向の内周側に位置し、外側面部５２ａの外方に突出する厚肉の内側面部５２ｂとからなる。
【００９０】
また、外ピンハウジング５０の円筒部５１の下部には、円筒部５１を軸方向に分割するスリット５３を設けている。
【００９１】
外ピンハウジング５０の一対のリング部５２には、厚み方向に貫通する複数の外ピン保持孔５４を設けている。外ピン保持孔５４は、図２に示すように、それぞれ入力軸３０の回転軸線Ｏと平行な方向に延び外ピン３２の両端を保持している。外ピン３２の両端は、外ピン保持孔５４に対して針状ころ軸受５５を介して支持されている。針状ころ軸受５５は、外輪５５ａと、この外輪５５ａの内周面と外ピン３２の外周面とを転走面にした針状ころ５５ｂとからなる。針状ころ軸受５５の外輪５５ａは、外ピン保持孔５４の内面に嵌合されている。
【００９２】
また、一対のリング部５２の対応する外ピン保持孔５４は、周方向の同位置に互いに対面するように設けられている。即ち、一対の外ピン保持孔５４の中心軸線は一致し、外ピンハウジング５０を減速機Ｂのケーシング２２ｂに取り付けると、この外ピン保持孔５４の中心軸線は、入力軸３０の回転軸線Ｏと平行になる。
【００９３】
これにより、外ピン３２を入力軸３０の回転軸線Ｏと平行に保持することができる。なお、一対の外ピン保持孔５４は同時加工で形成することができるので、対向する外ピン保持孔５４の中心軸線を比較的簡単に一致させることができる。
【００９４】
図５に示すように、一対のリング部５２の径方向の内周側に位置する厚肉の内側面部５２ｂには、外ピン保持孔５４に連続するように、溝形のザグリ部５６が形成されている。
【００９５】
一対のリング部５２の径方向の外周側に位置する外側面部５２ａには、図２に示すように、外ピン保持孔５４に挿入した外ピン３２の軸方向の抜け出しを防止する外ピンサイドプレート５８がフローティングボルト５９によって固定されている。
【００９６】
外ピンサイドプレート５８は、図５に示すように、外ピンハウジング５０の外側面部５２ａに設けられた固定孔５２ｃとフローティングボルト５９により締結されている。
【００９７】
外ピンハウジング５０の円筒部５１には、図２及び図５に示すように、外ピンハウジング５０の円筒部５１を貫通し、ケーシング２２ｂの内径面と外ピンハウジング５０内とを連通させる貫通孔５７を設けている。
【００９８】
この貫通孔５７は、図５に示すように、外ピン保持孔５４の位相に合わせて、外ピンハウジング５０の円筒部５１の上半部に設けられている。
【００９９】
即ち、外ピンハウジング５０の円筒部５１の貫通孔５７は、径方向に形成され、下部のスリット５３部分を除いて周方向に複数個有し、おおむね中心線より上部に位置している。
【０１００】
貫通孔５７の周方向の位相としては、外ピン保持孔５４のある位相に設けるのがよい。外ピン保持孔５４のある位相に設けると、貫通孔５７の加工の深さが浅いため、加工時間を短縮できる。
【０１０１】
この貫通孔５７は、すべての外ピン保持孔５４がある位相に開ける必要はなく、例えば、図６に示す実施形態のように、外ピン保持孔５４のある位相の１個飛びに形成するようにしてもよい。
【０１０２】
このように、外ピンハウジング５０の円筒部５１に貫通孔５７を設けることにより、減速機Ｂの内部で回転に伴い飛散した潤滑油の内、各部の潤滑に寄与しなかった潤滑油が、貫通孔５７から外ピンハウジング５０の外部に飛散し、ケーシング２２ｂの内径面に付着する。そして、潤滑油が重力によりケーシング２２ｂの下部のオイルタンク４１に流れ込むまでの間に、潤滑油の熱がケーシング２２ｂに熱伝導し、この熱伝導により、潤滑油の温度が低下する。ケーシング２２ｂは、走行風により冷却されているので、ケーシング２２ｂとの接触により、潤滑油の油温の上昇が抑制され、結果としてモータ部Ａの温度の上昇も抑制され、航続距離延長、定格出力の向上を図ることができる。
【０１０３】
また、外ピンハウジング５０の貫通孔５７から外部に飛散した潤滑油は、ケーシング２２ｂの内径面に付着し、冷却された潤滑油がしずく（油滴）となって、外ピンハウジング５０の上部に位置する貫通孔５７から滴下し、再び外ピンハウジング５０の内部（減速機Ｂの内部）に戻ることで、減速機Ｂを冷却することもできる。
【０１０４】
次に、図６及び図７に示す実施形態では、外ピンハウジング５０の円筒部５１の外径面には、外ピンハウジング５０の外径面に付着した潤滑油が、外ピンハウジング５０の外径面とケーシング２２ｂの内径面との間を伝って下部のオイルタンク４１に導き易くするために、円周溝６１を設けている。この円周溝６１は、図６に示す実施形態では、貫通孔５７を挟むように貫通孔５７の両側に２本設け、図７に示す実施形態では、周方向に設けられた貫通孔５７を繋ぐように、中央に１本設けている。
【０１０５】
また、サイクロイド式の減速機Ｂの潤滑は、オイルポンプ４２から供給された潤滑油が、入力軸３０の内部通路４５を通り、偏心軸部３０ａ、３０ｂに設けた油孔４５ａ、４５ｂから飛散し飛沫となって、また、外ピンハウジング５０の内部に溜まった潤滑油が、曲線板３１の回転で掻き上げられ飛沫となって、各部の転動面、摺動面を潤滑する。
【０１０６】
公転部材としての２枚の曲線板３１の間には、曲線板３１の傾きを防止するセンターカラー３８を設けている。このため、このセンターカラー３８にも、図８に示すように、径方向のスリット６０を設け、入力軸３０から偏心軸部３０ａ、３０ｂの油孔４５ａ、４５ｂを通って飛散した潤滑油が、センターカラー３８のスリット６０を通って飛散するようにすることが望ましい。このスリット６０は、センターカラー３８の両面に、周方向に位相をずらして交互に設けている。
【０１０７】
センターカラー３８のスリット６０から飛散した潤滑油を効率よく外ピンハウジング５０の外部に出すためには、外ピンハウジング５０の貫通孔５７は、ある程度の大きさが必要である。
【０１０８】
ただし、外ピンハウジング５０の貫通孔５７が大きすぎると外ピンハウジング５０の剛性・強度が低下する。低剛性による減速機Ｂの変形は、減速機Ｂからの異音発生の原因となる。そのため、貫通孔５７の径φＡは、センターカラー３８の幅寸法ａより大きくし、センターカラー３８と曲線板３１の総幅ｂより小さくし、また、スリット６０から飛散した潤滑油が貫通孔５７を通るように、貫通孔５７の軸方向の位置は、センターカラー３８の両幅面が貫通孔５７内に位置するように配置する（図２参照）。
【０１０９】
例えば、曲線板３１が、２枚の場合には、貫通孔５７の径φＡは、下記式（１）を満足するようにする。
【０１１０】
（センターカラー３８の幅＋曲線板３１の幅×２）＞φＡ＞センターカラー３８の幅・・・（１）
【０１１１】
また、曲線板３１の枚数が２枚以上、ｚ枚（ｚ≧２）の場合には、下記式（２）を満足するようにする。
【０１１２】
（センターカラー３８の幅×（ｚ−１）＋曲線板３１の幅×ｚ）＞φＡ＞（センターカラー３８の幅×（ｚ−１）＋曲線板３１の幅×（ｚ−２））・・・（２）
【０１１３】
外ピンハウジング５０の貫通孔５７は、丸穴であっても、長穴であってもよいし、多角形状の穴であってもよい。
【０１１４】
インホイールモータ駆動装置２１は、小型化の観点から、外ピンハウジング５０の外径と、ケーシング２２ｂの内径面との距離を小さくしているので、外ピンハウジング５０の外部に飛散した潤滑油が、ケーシング２２ｂの内径面と外ピンハウジング５０の外径との間に溜まるおそれがある。潤滑油が、ケーシング２２ｂの内径面と外ピンハウジング５０の外径との間に溜まると、オイルタンク４１から吸い上げられる潤滑油が不足し、各部の潤滑不良を引き起こす可能性がある。このため、飛散した潤滑油がケーシング２２ｂの内径面を伝って底部に設けられた排出口４７からオイルタンク４１に流れ込みやすくするために、図９に示すように、円周溝６２を設け、さらに、ケーシング２２ｂの内径面の底部に、円周溝６２と排出口４７とを繋ぐ交差溝６３を設けている。図９の実施形態では、円周溝６２を２本設けているが、１本でもよい。
【０１１５】
上記構成のインホイールモータ駆動装置２１のモータ部Ａは、例えば、ステータ２３のコイルに交流電流を供給することによって生じる電磁力を受けて、永久磁石または磁性体によって構成されるロータ２４が回転する。
【０１１６】
これにより、ロータ２４に接続されたモータ軸２４ａが回転すると、曲線板３１はモータ軸２４ａの回転軸線Ｏを中心として公転運動する。このとき、外ピン３２が、曲線板３１の曲線形状の波形歯形と転がり接触するよう係合して、曲線板３１をモータ軸２４ａの回転とは逆向きに自転運動させる。
【０１１７】
曲線板３１のピン孔３６に挿通する内ピン３７は、ピン孔３６の内径よりも十分に細く、曲線板３１の自転運動に伴ってピン孔３６の内壁面と当接する。これにより、曲線板３１の公転運動が内ピン３７に伝わらず、曲線板３１の自転運動のみが出力軸３３を介して車輪ハブＣに伝達される。
【０１１８】
このとき、回転軸線Ｏと同軸に配置された出力軸３３は、減速機Ｂの出力軸として曲線板３１の自転を取り出し、モータ軸２４ａの回転が減速機Ｂによって減速されて出力軸３３に伝達されるので、低トルク、高回転型のモータ部Ａを採用した場合でも、駆動輪に必要なトルクを伝達することが可能となる。
【０１１９】
このように、多段構成とすることなく大きな減速比を得ることができる減速機Ｂを採用することにより、コンパクトで高減速比のインホイールモータ駆動装置２１を得ることができる。また、外ピン３２を外ピンハウジング５０に対して回転自在とし、内ピン３７の曲線板３１に当接する位置に針状ころ軸受３７ａを設けたことにより、摩擦抵抗が低減されるので、減速機Ｂの伝達効率が向上する。
【０１２０】
前記の実施形態においては、減速機Ｂの曲線板３１を１８０°位相を変えて２枚設けたが、この曲線板の枚数は任意に設定することができ、例えば、曲線板を３枚設ける場合は、１２０°位相を変えて設けるとよい。
【０１２１】
また、前記の実施形態において、曲線板３１を支持する転がり軸受３４として円筒ころ軸受の例を示したが、これに限ることなく、例えば、すべり軸受、深溝玉軸受、円錐ころ軸受、針状ころ軸受、自動調心ころ軸受、アンギュラ玉軸受、４点接触玉軸受等、すべり軸受であるか転がり軸受であるかを問わず、転動体がころであるか玉であるかを問わず、さらには複列か単列かを問わず、あらゆる軸受を適用することができる。また、その他の場所に配置される軸受についても、同様に任意の形態の軸受を採用することができる。
【０１２２】
また、前記の実施形態においては、モータ部Ａに、ケーシング２２ａに固定されるステータ２３と、ステータ２３の内側に径方向の隙間を空けて対面する位置に配置されるロータ２４とを備えるラジアルギャップモータを採用した例を示したが、これに限ることなく、任意の構成のモータを適用可能である。例えばステータとロータとが軸方向に開いた隙間を介して対向配置されるアキシアルギャップモータであってもよい。
【０１２３】
また、前記の実施形態においては、オイルポンプ４２は、減速機Ｂの回転を利用してインナーロータ７２が回転する例を示したが、これに限ることなく、モータ部Ａのロータ２４の回転を利用してインナーロータが回転するオイルポンプ、あるいは別途設けた電動モータによりインナーロータが回転するオイルポンプであってもよい。
【０１２４】
また、前記の実施形態においては、電気自動車用駆動装置として車輪ハブＣが駆動輪を直接駆動するインホイールモータ駆動装置２１の例を示したが、これに限ることなく、インホイールモータ駆動装置２１を車体側のサスペンションメンバにて支持し、左右一対の駆動輪をそれぞれ等速ジョイント等のドライブシャフトで駆動する、いわゆるオンボード駆動装置としても適用可能である。
【０１２５】
また、前記の実施形態においては、電気自動車用駆動装置が走行風によって冷却される、いわゆる空冷の例を示したが、電気自動車用駆動装置のケーシング内に水路を設け、冷却水を循環させラジエターにて外気と熱交換し冷却する、いわゆる水冷の電気自動車用駆動装置であってもよい。
【０１２６】
さらに、この発明に係る電気自動車用駆動装置を搭載した電気自動車は、後輪を駆動輪としてもよく、また、前輪を駆動輪としてもよく、４輪駆動車であってもよい。なお、本明細書中で「電気自動車」とは、電力から駆動力を得る全ての自動車を含む概念であり、例えば、ハイブリッドカー等をも含むものとして理解すべきである。
【符号の説明】
【０１２７】
１１      ：電気自動車
１２      ：シャーシ
１２ａ    ：ホイールハウジング
１２ｂ    ：懸架装置
１３      ：前輪
１４      ：駆動輪
２１      ：インホイールモータ駆動装置
２２      ：ケーシング
２２ａ    ：ケーシング
２２ｂ    ：ケーシング
２２ｃ    ：仕切壁
２３      ：ステータ
２４      ：ロータ
２４ａ    ：モータ軸
２５ａ    ：軸受
２５ｂ    ：軸受
３０      ：入力軸
３０ａ    ：偏心軸部
３０ｂ    ：偏心軸部
３１      ：曲線板
３１ａ    ：波形歯形
３２      ：外ピン
３３      ：出力軸
３３ａ    ：フランジ部
３３ｂ    ：軸部
３３ｃ    ：ポンプ駆動軸
３４      ：転がり軸受
３５      ：カウンタウェイト
３６      ：ピン孔
３７      ：内ピン
３７ａ    ：軸受
３８      ：センターカラー
４１      ：オイルタンク
４２      ：オイルポンプ
４３      ：給油通路
４４      ：内部通路
４５      ：内部通路
４５ａ    ：油孔
４５ｂ    ：油孔
４６      ：吸込通路
４７      ：排出口
５０      ：外ピンハウジング
５１      ：円筒部
５２      ：リング部
５２ａ    ：外側面部
５２ｂ    ：内側面部
５２ｃ    ：固定孔
５３      ：スリット
５４      ：外ピン保持孔
５５      ：軸受
５５ａ    ：外輪
５５ｂ    ：針状ころ
５６      ：ザグリ部
５７      ：貫通孔
５８      ：外ピンサイドプレート
５９      ：フローティングボルト
５９ａ    ：外ピンハウジング側固定部
５９ｂ    ：ケーシング側固定部
５９ｃ    ：固定フランジ
６０      ：スリット
６１      ：円周溝
６２      ：円周溝
６３      ：交差溝
７２      ：インナーロータ
７２ａ    ：歯先部分
７２ｂ    ：歯溝部分
７３      ：アウターロータ
７３ａ    ：歯先部分
７３ｂ    ：歯溝部分
７４      ：ポンプ室
７５      ：吸入口
７６      ：吐出口
７７      ：ポンプケース
８１      ：内輪部材
８２      ：外輪部材
８３      ：転動体
８４      ：車輪取付けフランジ部
９０      ：軸受
９１      ：軸受
Ａ        ：モータ部
Ｂ        ：減速機
Ｃ        ：車輪ハブ
Ｏ        ：回転軸線
ａ        ：幅寸法
ｂ        ：総幅
ｃ１      ：回転中心
ｃ２      ：回転中心
φＡ      ：径
【図１】
2015129570.tif 000003
【図２】
2015129570.tif 000004
【図３】
2015129570.tif 000005
【図４】
2015129570.tif 000006
【図５】
2015129570.tif 000007
【図６】
2015129570.tif 000008
【図７】
2015129570.tif 000009
【図８】
2015129570.tif 000010
【図９】
2015129570.tif 000011
【図１０】
2015129570.tif 000012
【図１１】
2015129570.tif 000013
【図１２】
2015129570.tif 000014
【図１３】
2015129570.tif 000015
【図１４】
2015129570.tif 000016
【図１５】
2015129570.tif 000017
【図１６】
2015129570.tif 000018
【図１７】
2015129570.tif 000019